(57)【特許請求の範囲】
【請求項１】
ユーザの身体に装着して使用される携帯無線装置であって、
無線部と、
ユーザからの入力音声を受信する第１マイクと、
前記第１マイクから離れた位置に設けられ、前記入力音声を受信する第２マイクと、
前記第２マイクより前記第１マイクに近接した位置に設けられる第１アンテナと、
前記第１マイクより前記第２マイクに近接した位置に設けられる第２アンテナと、
前記無線部に接続され、前記第１アンテナおよび前記第２アンテナのうち、前記無線部と接続するアンテナの切替を行うアンテナ切替部と、
前記入力音声の信号処理を行う音声信号処理部と、
を具備し、
前記アンテナ切替部は、前記第１マイクが受信するユーザの入力音声レベルと前記第２マイクが受信するユーザの入力音声レベルとを比較し、前記第１アンテナおよび前記第２アンテナのうちユーザの入力音声レベルの小さいマイクに近いアンテナと、前記無線部とを接続する、
携帯無線装置。
【請求項２】
前記無線部、前記第１マイク、前記アンテナ切替部、前記音声信号処理部、および、前記第１アンテナを含む本体部を備え、
前記第２アンテナは、前記本体部の外に設けられる、
請求項１に記載の携帯無線装置。
【請求項３】
前記無線部、前記第１マイク、前記アンテナ切替部、および、前記音声信号処理部を含む本体部を備え、
前記第１アンテナおよび前記第２アンテナは、前記本体部の外に設けられ、
前記第２アンテナは、前記第１アンテナより前記本体部から遠くに設けられる、
請求項１に記載の携帯無線装置。
【請求項４】
前記携帯無線装置は、前記本体部、前記本体部の端部から延びるベルト部、および、前記本体部と反対側に設けられるバックルを有する腕時計型であり、
前記第２アンテナは、前記バックル、または、前記ベルト部における前記本体部より前記バックルに近い位置に設けられる、
請求項２又は３に記載の携帯無線装置。
【請求項５】
前記アンテナ切替部は、近接センサによりユーザの近接の結果を用いずに、前記第１マイクが受信するユーザの入力音声レベルと前記第２マイクが受信するユーザの入力音声レベルを比較し、前記第１および前記第２アンテナのうちユーザの入力音声レベルの小さいマイクに近いアンテナと、前記無線部とを接続する、
請求項１に記載の携帯無線装置。
【請求項６】
前記第１マイクおよび前記第２マイクは、それぞれ、音声信号入力、あるいは周辺雑音の入力を行い、ノイズをキャンセルする、
請求項１に記載の携帯無線装置。
【請求項７】
前記携帯無線装置において、音声通話が行われる場合、
前記無線部は、前記第１マイクおよび前記第２マイクの少なくとも１つが受信した前記入力音声の信号を、前記アンテナ切替部によって接続された前記アンテナを介して、送信する、
請求項１に記載の携帯無線装置。
【発明の詳細な説明】
【技術分野】
【０００１】
本発明は、アンテナの切替を行う携帯無線装置に関する。
【背景技術】
【０００２】
従来、複数のアンテナを有し、その複数のアンテナを切替えることによって、通信品質を向上させることができる携帯無線装置に関する技術が進んでいる。
【０００３】
例えば、特許文献１では、アンテナを介して受信した信号が、通話相手の音声を含む音声信号か、データ信号であるかを認識することによって、使用状態を判断し、アンテナ切替を行う携帯電話が開示されている。
【０００４】
また、特許文献２では、筐体の開閉状態や筐体の開閉角度に基づいて、音声通話機能使用時であるか、インターネット接続機能使用時であるかを検知することによって、アンテナを切替える携帯無線機が開示されている。
【先行技術文献】
【特許文献】
【０００５】
【特許文献１】特開２００４−１３５０５４号公報
【特許文献２】特開２０１１−１６０２０１号公報
【発明の概要】
【発明が解決しようとする課題】
【０００６】
近年、ユーザの身体に携帯無線装置を装着して使用するウェアラブル端末の開発が進んでいる。このような携帯無線装置は、装置の一方がユーザの身体に接触した状態で使用される。ここで、腕時計型の携帯無線装置において、マイクが本体に内蔵され、アンテナ素子がその本体に近接する位置に設けられる構成について検討する。この構成では、ユーザがマイクを使用する際、アンテナが腕と頭部とで挟まれる。これにより、アンテナ性能が劣化する。このようなアンテナ性能への影響をここでは頭部近接影響と呼ぶ。
【０００７】
身体に装着して使用する携帯無線装置において、頭部近接の影響を防ぐためには、マイクを本体と異なる位置に設けて、マイクとアンテナ素子との距離を離す構成を採ることによって対策することが考えられる。しかしながら、マイクが本体から離れると、ユーザは、マイクの使用時にマイクの位置を確認する必要が生じ、ユーザの利便性が悪くなる。
【０００８】
また、身体に装着して使用する携帯無線装置において、頭部近接の影響を防ぐためには、アンテナ素子を本体と異なる位置に設けて、マイクとアンテナ素子との距離を離す構成を採ることによって対策することが考えられる。しかしながら、アンテナ素子が本体から離れると、アンテナ素子と本体をつなぐ同軸ケーブルなどのケーブルが必要となり、ケーブルロスの影響により、アンテナ特性が劣化する。
【０００９】
また、身体に装着して使用する携帯無線装置において、頭部近接影響は、上述した特許文献１および特許文献２の従来技術でも解決されない。例えば、特許文献１の従来技術では、通話相手側の音声信号を認識して、アンテナを切り換えるため、携帯電話のユーザ自身が携帯電話に頭部を近接させているか否かは認識できない。また、携帯電話と、身体に装着して使用する携帯無線装置とでは、使用状態が大きく異なる。また、上述した特許文献２の従来技術では、筐体の開閉状態や筐体の開閉角度に基づいて、音声通話機能使用時であるか、インターネット接続機能使用時であるかを検知しているため、身体に装着して使用する携帯無線装置の頭部近接影響に対応することはできない。
【００１０】
本発明は、このような課題を解決するためになされたものであり、身体に装着して使用する携帯無線装置において、頭部の近接によるアンテナ性能の劣化を低減する。
【課題を解決するための手段】
【００１１】
本発明の無線通信装置は、ユーザの身体に装着して使用される携帯無線装置であって、無線部と、音声信号を受信する第１マイクと、前記第１マイクからの距離がそれぞれ異なる位置に設けられる複数のアンテナと、前記無線部に接続され、前記複数のアンテナのうち、前記無線部と接続するアンテナの切替を行うアンテナ切替部と、前記音声信号の信号処理を行う音声信号処理部と、を具備し、前記音声信号処理部は、前記音声信号のレベルを算出し、前記アンテナ切替部は、前記音声信号のレベルに基づいて、前記複数のアンテナを切替える。
【発明の効果】
【００１２】
本発明によれば、頭部が近接していることを検知することにより、適切なアンテナ切替を行うことができる携帯無線装置を提供することができる。
【図面の簡単な説明】
【００１３】
【図１】本発明の実施の形態１に係る携帯無線装置の主な使用形態を示す図
【図２】本発明の実施の形態１に係る携帯無線装置の主要構成の一例を示す図
【図３】本発明の実施の形態１における携帯無線装置の使用形態を比較する図
【図４】本発明の実施の形態２に係る携帯無線装置の主な使用形態を示す図
【図５】本発明の実施の形態２に係る携帯無線装置の主要構成の一例を示す図
【図６】本発明の実施の形態２における携帯無線装置の使用形態を比較する図
【図７】本発明の実施の形態３に係る携帯無線装置の主な使用形態を示す図
【図８】本発明の実施の形態３に係る携帯無線装置の主要構成の一例を示す図
【図９】本発明の実施の形態３における携帯無線装置の使用形態を比較する図
【図１０】本発明の各実施の形態における携帯無線装置の使用例を示す図
【図１１】本発明の各実施の形態における携帯無線装置の別の使用例を示す図
【発明を実施するための形態】
【００１４】
以下、本発明の実施の形態について、図面を参照して詳細に説明する。なお、以下に説明する各実施の形態は一例であり、本発明はこれらの実施の形態により限定されるものではない。
【００１５】
（実施の形態１）
図１は、本発明の実施の形態１に係る携帯無線装置の主な使用形態を示す図である。なお、本実施の形態１では、主な使用形態として、腕時計型の携帯無線装置を例にとって説明するが、本発明はこれに限定されない。
【００１６】
図１に示すように、携帯無線装置は、本体１０、第１アンテナ１１、第２アンテナ１２、第１同軸ケーブル１３、第２同軸ケーブル１４、ベルト部１７、バックル１８を有する。
【００１７】
本体１０は、樹脂等で形成され、マイク１５および表示部１０１等を有する。マイク１５は、ユーザから発せられる音声信号などを受け取る。本体１０の具体的な構成については後述する。
【００１８】
ベルト部１７は、樹脂等で形成され、本体１０の両端部から延びる。ベルト部１７は、本体１０と共に腕時計形状になり、ベルト部１７の端部のうち、本体１０と反対側に位置する端部は、バックル１８によって結合される。
【００１９】
第１アンテナ１１は、ベルト部１７において、本体１０に近接する部分に取り付けられる。第１アンテナ１１は、低損失の第１同軸ケーブル１３により本体１０に接続されてもよい。または、第１アンテナ１１は、本体１０に内蔵されていてもよい。
【００２０】
第２アンテナ１２は、ベルト部１７において、バックル１８に近接する部分に取り付けられる。つまり、第２アンテナ１２は、本体１０およびマイク１５から離れた位置に設けられる。第２アンテナ１２は、低損失の第２同軸ケーブル１４によって本体１０に接続される。
【００２１】
第２アンテナ１２は、第１アンテナ１１に比べて、本体１０と接続するための同軸ケーブルの長さが長い。そのため、第２アンテナ１２は、第１アンテナ１１よりもケーブルロスの影響を受けやすく、その結果、第２アンテナ１２のアンテナ特性は、第１アンテナ１１のアンテナ特性よりも劣化する。第１アンテナ１１が本体に内蔵されている場合、この影響はより顕著になる。
【００２２】
次に、本発明の実施の形態１に係る携帯無線装置の主要構成について、図２を用いて説明する。図２は、本発明の実施の形態１に係る携帯無線装置の主要構成の一例を示す図である。
【００２３】
図２に示す携帯無線装置は、本体１０、第１アンテナ１１、第２アンテナ１２、第１同軸ケーブル１３、第２同軸ケーブル１４、マイク１５、および、スピーカ１６を有する。なお、マイク１５は、本体１０に含まれていてもよい。
【００２４】
本体１０は、表示部１０１、入力部１０２、音声信号処理部１０３、制御部１０４、アンテナ切替部１０５、アンテナ終端１０６、無線部１０７を有する。
【００２５】
表示部１０１は、液晶ディスプレイ等の表示デバイスである。表示部１０１は、制御部１０４の制御によって表示を行う。
【００２６】
入力部１０２は、タッチパネルやキー等による入力装置である。入力部１０２は、ユーザから情報の入力を受けつけ、受けつけた情報を制御部１０４へ出力する。
【００２７】
音声信号処理部１０３は、マイク１５、スピーカ１６、制御部１０４、および、無線部１０７に接続する。音声信号処理部１０３は、制御部１０４の制御によって、マイク１５が受信する音声信号の信号処理、スピーカ１６へ出力するための音声信号の信号処理を行う。
【００２８】
また、音声信号処理部１０３は、マイク１５が受信する音声信号のレベルを算出し、算出した音声信号のレベルと所定の閾値とを比較する。音声信号処理部１０３は、比較した結果、つまり、マイク１５が受信する音声信号のレベルが所定の閾値より大きいか否か、を示す判定信号を制御部１０４へ出力する。
【００２９】
アンテナ切替部１０５は、第１同軸ケーブル１３を介して第１アンテナ１１と接続し、第２同軸ケーブル１４を介して第２アンテナ１２と接続する。アンテナ切替部１０５は、制御部１０４の制御によって、第１アンテナ１１と第２アンテナ１２の接続先を無線部１０７とアンテナ終端１０６へ選択的に接続する。
【００３０】
具体的には、アンテナ切替部１０５は、第１アンテナ１１を無線部１０７に接続させる場合、第２アンテナ１２をアンテナ終端１０６に接続させる。あるいは、アンテナ切替部１０５は、第１アンテナ１１をアンテナ終端１０６に接続させる場合、第２アンテナ１２を無線部１０７に接続させる。
【００３１】
なお、アンテナ切替部１０５は、携帯無線装置が待ち受け状態の場合は、第１アンテナ１１を無線部１０７に接続させ、第２アンテナ１２をアンテナ終端１０６に接続させる。
【００３２】
無線部１０７は、アンテナ切替部１０５を介して第１アンテナ１１と第２アンテナ１２のいずれか一方に接続される。また、無線部１０７は、制御部１０４に接続される。無線部１０７は、制御部１０４の制御によって、アンテナを介して送受信される信号の変復調処理などの無線信号処理を行う。
【００３３】
アンテナ終端１０６は、アンテナ終端１０６に接続されるアンテナが無線部１０７に接続されるアンテナに影響を与えないようにするために用いられる。アンテナ終端１０６は、アンテナ切替部１０５を介して第１アンテナ１１と第２アンテナ１２のうち、無線部１０７に接続されていない方のアンテナに接続される。具体的には、アンテナ終端１０６は、そのインピーダンスがアンテナ端から開放状態（Ｏｐｅｎ状態）に見える値に設定される。
【００３４】
制御部１０４は、表示部１０１、入力部１０２、音声信号処理部１０３、アンテナ切替部１０５、および、無線部１０７と接続する。制御部１０４は、表示部１０１における表示の制御、入力部１０２から受け取った情報の制御、音声信号処理部１０３における音声信号の信号処理の制御、無線部１０７における無線信号処理の制御などを行う。
【００３５】
制御部１０４は、携帯無線装置が待ち受け状態の場合は、第１アンテナ１１を無線部１０７に接続させ、第２アンテナ１２をアンテナ終端１０６に接続させるようにアンテナ切替部１０５を制御する。
【００３６】
また、制御部１０４は、音声信号処理部１０３から判定信号を受け取る。制御部１０４は、マイク１５が受信する音声信号のレベルが所定の閾値より大きいか否かを示す判定信号に基づいて、アンテナ切替部１０５によるアンテナの切替を制御する。
【００３７】
具体的には、制御部１０４は、音声信号のレベルが所定の閾値より大きい場合、アンテナ切替部１０５が第１アンテナ１１をアンテナ終端１０６に接続させ、第２アンテナ１２を無線部１０７に接続させるように、アンテナ切替部１０５を制御する。
【００３８】
また、制御部１０４は、音声信号のレベルが所定の閾値以下の場合、アンテナ切替部１０５が第２アンテナ１２をアンテナ終端１０６に接続させ、第１アンテナ１１を無線部１０７に接続させるように、アンテナ切替部１０５を制御する。
【００３９】
ここで、アンテナ切替部１０５によるアンテナの切替について図３を用いて説明する。図３は、本発明の実施の形態１における携帯無線装置の使用形態を比較する図である。携帯無線装置は腕時計型の携帯無線装置であるため、腕（または手首）等に装着されている。携帯無線装置とユーザの頭部の位置関係は、主に、図３Ａおよび図３Ｂに示す位置関係に分類される。
【００４０】
図３Ａの場合、例えば、非通話時、または、待ち受け時などの状態であり、ユーザは、携帯無線装置に頭部を接近させていない。このとき、図３Ａに示すように、アンテナ切替部１０５は、第２アンテナ１２をアンテナ終端１０６に接続させ、第１アンテナ１１を無線部１０７に接続させている。
【００４１】
例えば図３Ａの状態で、ユーザがマイク１５に頭部を近づけて音声を発すると、無線部１０７に接続されている第１アンテナ１１に頭部が接近することになり、頭部近接影響によりアンテナ特性が劣化してしまう。
【００４２】
そこで、携帯無線装置は、マイク１５が受け取る音声信号に基づいて、図３Ａに示す状態から図３Ｂに示す状態へアンテナの切替を行う。
【００４３】
具体的には、音声通話時などでユーザは、携帯無線装置に頭部を接近させて音声をマイク１５に向かって発するとき、マイク１５は、ユーザが発する音声信号を受け取り、音声信号処理部１０３へ出力する。
【００４４】
音声信号処理部１０３は、マイク１５が受信する音声信号のレベルを算出し、算出した音声信号のレベルと所定の閾値とを比較する。音声信号処理部１０３は、比較した結果、つまり、マイク１５が受信する音声信号のレベルが所定の閾値より大きいか否か、を示す判定信号を制御部１０４へ出力する。
【００４５】
制御部１０４は、音声信号のレベルが所定の閾値より大きい場合、アンテナ切替部１０５が第１アンテナ１１をアンテナ終端１０６に接続させ、第２アンテナ１２を無線部１０７に接続させるように、アンテナ切替部１０５を制御する。
【００４６】
図３Ｂは、アンテナ切替部１０５による切替の後を示す図である。図３Ｂの場合、例えば、通話時などの状態であり、ユーザは、携帯無線装置の本体１０に頭部を接近させている。このとき、図３Ｂに示すように、アンテナ切替部１０５は、第１アンテナ１１をアンテナ終端１０６に接続させ、第２アンテナ１２を無線部１０７に接続させている。
【００４７】
以上のように、本実施の形態１では、マイク１５が受信する音声信号のレベルに基づいて、アンテナの切替を行う。この切替により、頭部近接影響によるアンテナ特性の劣化を防ぎ、常に特性のよい側のアンテナに切替えることができる。
【００４８】
また、ユーザは、マイクの位置を気にせずに使用することができる。本実施の形態１と同様の機能は、近接センサなどで頭部の近接を検知することによっても可能だが、本実施の形態１は、近接センサなどを設ける場合に比べて、はるかに低いコストで実現することができる。
【００４９】
（実施の形態２）
本実施の形態２では、マイクを２台設けることによって、頭部近接影響によるアンテナ特性の劣化を防ぐ場合について説明する。図４は、本発明の実施の形態２に係る携帯無線装置の主な使用形態を示す図である。図４において、図１と共通する構成には、図１と同一の符号を付しその詳しい説明を省略する。
【００５０】
図４に示す携帯無線装置は、図１に示す実施の形態１に係る携帯無線装置に第２マイク１９が追加された構成をとる。本実施の形態２では、実施の形態１で説明したマイク１５を第１マイク１５として説明する。
【００５１】
第１マイク１５は、実施の形態１と同様に、本体１０に含まれる。つまり、第１マイク１５は、実施の形態１と同様に、第１アンテナ１１に近接した位置に設けられる。
【００５２】
一方で、第２マイク１９は、バックル１８に近接する位置、つまり、第２アンテナ１２に近接する位置に設けられる。第２マイク１９は、第１マイク１５と同様に、ユーザから発せられる音声信号などを受け取る。
【００５３】
本実施の形態２に係る携帯無線装置は、第１アンテナ１１と第２アンテナ１２のそれぞれに近接する第１マイク１５と第２マイク１９を有する。この構成により、第１マイク１５が受け取る第１音声信号のレベルと第２マイク１９が受け取る第２音声信号のレベルを比較することによって、第１アンテナ１１と第２アンテナ１２のどちらにユーザの頭部が近接するかを判定することができる。
【００５４】
次に、本発明の実施の形態２に係る携帯無線装置の主要構成について、図５を用いて説明する。図５は、本発明の実施の形態２に係る携帯無線装置の主要構成の一例を示す図である。図５において、図２と共通する構成には、図２と同一の符号を付しその詳しい説明を省略する。図５に示す実施の形態２に係る携帯無線装置は、第２マイク１９が追加されることに加えて、音声信号処理部１０３、制御部１０４の機能が、図２に示す実施の形態１に係る携帯無線装置と異なる。
【００５５】
具体的に、音声信号処理部１０３は、第１マイク１５、第２マイク１９、スピーカ１６、制御部１０４、および、無線部１０７に接続する。音声信号処理部１０３は、制御部１０４の制御によって、第１マイク１５、および、第２マイク１９がそれぞれ受信する音声信号の信号処理、スピーカ１６へ出力するための音声信号の信号処理を行う。
【００５６】
また、音声信号処理部１０３は、第１マイク１５が受信する第１音声信号のレベルと第２マイク１９が受信する第２音声信号のレベルを算出し、算出した第１音声信号と第２音声信号とのレベルを比較する。音声信号処理部１０３は、比較した結果、つまり、第１音声信号のレベルが第２音声信号のレベルより大きいか否か、を示す判定信号を制御部１０４へ出力する。
【００５７】
制御部１０４は、音声信号処理部１０３から判定信号を受け取る。制御部１０４は、第１音声信号のレベルが第２音声信号のレベルより大きいか否かを示す判定信号に基づいて、アンテナ切替部１０５によるアンテナの切替を制御する。
【００５８】
具体的には、制御部１０４は、第１音声信号のレベルが第２音声信号のレベルより大きい場合、アンテナ切替部１０５が第１アンテナ１１をアンテナ終端１０６に接続させ、第２アンテナ１２を無線部１０７に接続させるように、アンテナ切替部１０５を制御する。
【００５９】
また、制御部１０４は、第１音声信号のレベルが第２音声信号のレベル以下の場合、アンテナ切替部１０５が第２アンテナ１２をアンテナ終端１０６に接続させ、第１アンテナ１１を無線部１０７に接続させるように、アンテナ切替部１０５を制御する。
【００６０】
ここで、アンテナ切替部１０５によるアンテナの切替について図６を用いて説明する。図６は、本発明の実施の形態２における携帯無線装置の使用形態を比較する図である。携帯無線装置は腕時計型の携帯無線装置であるため、腕（または手首）等に装着されている。携帯無線装置とユーザの頭部の位置関係は、主に、図６Ａおよび図６Ｂに示す位置関係に分類される。
【００６１】
図６Ａの場合、例えば、非通話時、または、待ち受け時などの状態であり、ユーザは、携帯無線装置に頭部を接近させていない。このとき、図６Ａに示すように、アンテナ切替部１０５は、第２アンテナ１２をアンテナ終端１０６に接続させ、第１アンテナ１１を無線部１０７に接続させている。
【００６２】
例えば図６Ａの状態で、ユーザが第１マイク１５に頭部を近づけて音声を発すると、無線部１０７に接続されている第１アンテナ１１に頭部が接近することになり、頭部近接影響によりアンテナ特性が劣化してしまう。
【００６３】
そこで、携帯無線装置は、第１マイク１５が受け取る第１音声信号および第２マイク１９が受け取る第２音声信号に基づいて、図６Ａに示す状態から図６Ｂに示す状態へアンテナの切替を行う。
【００６４】
具体的には、音声通話時などでユーザは、携帯無線装置に頭部を接近させて音声を第１マイク１５に向かって発するとき、第１マイク１５は、ユーザが発する第１音声信号を受け取り、音声信号処理部１０３へ出力する。また、第１マイク１５と異なる位置に設けられる第２マイク１９も、ユーザが発する第２音声信号を受け取り、音声信号処理部１０３へ出力する。
【００６５】
音声信号処理部１０３は、第１音声信号のレベルと第２音声信号のレベルを算出し、算出した第１音声信号のレベルと第２音声信号のレベルとを比較する。音声信号処理部１０３は、比較した結果、つまり、第１音声信号のレベルが第２音声信号のレベルより大きいか否か、を示す判定信号を制御部１０４へ出力する。
【００６６】
制御部１０４は、第１音声信号のレベルが第２音声信号のレベルより大きい場合、アンテナ切替部１０５が第１アンテナ１１をアンテナ終端１０６に接続させ、第２アンテナ１２を無線部１０７に接続させるように、アンテナ切替部１０５を制御する。
【００６７】
図６Ｂは、アンテナ切替部１０５による切替の後を示す図である。図６Ｂの場合、例えば、通話時などの状態であり、ユーザは、携帯無線装置の本体１０に頭部を接近させている。このとき、図６Ｂに示すように、アンテナ切替部１０５は、第１アンテナ１１をアンテナ終端１０６に接続させ、第２アンテナ１２を無線部１０７に接続させている。
【００６８】
以上のように、本実施の形態２では、第１マイク１５が受信する第１音声信号のレベルと第２マイク１９が受信する第２音声信号のレベルに基づいて、アンテナの切替を行う。これにより、ユーザの頭部がどちらのアンテナに接近しているかをより正確に判断することができる。その結果、頭部近接影響によるアンテナ特性の劣化を防ぎ、常に特性のよい側のアンテナに切替えることができる。
【００６９】
一般に、スマートフォンなどにおいて、マイクを２カ所に設置し、一方を音声信号の入力に用いて、他方を周辺雑音の入力に用いて、音声信号からのノイズキャンセルを行う構成がある。このような構成では、既に２つのマイクが設置されているため、本実施の形態２のような構成のために、新たにマイクを設置する必要がない。つまり、本実施の形態２に係る構成は、低いコストで実現することが可能である。
【００７０】
（実施の形態３）
本実施の形態３では、マイクを複数台設けることによって、頭部近接影響によるアンテナ特性の劣化を防ぐ場合について説明する。図７は、本発明の実施の形態３に係る携帯無線装置の主な使用形態を示す図である。図７において、図１と共通する構成には、図１と同一の符号を付しその詳しい説明を省略する。
【００７１】
図７に示す携帯無線装置は、図１に示す実施の形態１に係る携帯無線装置に第２マイク１９および第３マイク２０が追加された構成をとる。なお、本実施の形態３では、実施の形態１で説明したマイク１５を第１マイク１５として説明する。
【００７２】
第１マイク１５は、実施の形態１と同様に、本体１０に含まれる。つまり、第１マイク１５は、実施の形態１と同様に、第１アンテナ１１に近接した位置に設けられる。
【００７３】
一方で、第２マイク１９および第３マイク２０は、第１マイク１５を含めた３つのマイクの間のそれぞれの距離が略等しい位置に設けられる。つまり、第１マイク１５と第２マイク１９の間の距離と、第１マイク１５と第３マイク２０の間の距離と、第２マイク１９と第３マイク２０の間の距離が、略等しくなるように設けられる。
【００７４】
本実施の形態３に係る携帯無線装置は、第１マイク１５が受け取る第１音声信号と第２マイク１９が受け取る第２音声信号と第３マイク２０が受け取る第３音声信号から音声信号を発するユーザの口、つまり、頭部の位置を推定することによって、第１アンテナ１１と第２アンテナ１２のどちらにユーザの頭部が近接するかを判定することができる。
【００７５】
次に、本発明の実施の形態３に係る携帯無線装置の主要構成について、図８を用いて説明する。図８は、本発明の実施の形態３に係る携帯無線装置の主要構成の一例を示す図である。図８において、図２と共通する構成には、図２と同一の符号を付しその詳しい説明を省略する。図８に示す実施の形態３に係る携帯無線装置は、第２マイク１９および第３マイクが追加されることに加えて、音声信号処理部１０３、制御部１０４の機能が、図２に示す実施の形態１に係る携帯無線装置と異なる。
【００７６】
具体的に、音声信号処理部１０３は、第１マイク１５、第２マイク１９、第３マイク２０、スピーカ１６、制御部１０４、および、無線部１０７に接続する。音声信号処理部１０３は、制御部１０４の制御によって、第１マイク１５、第２マイク１９、および、第３マイク２０がそれぞれ受信する音声信号の信号処理、スピーカ１６へ出力するための音声信号の信号処理を行う。
【００７７】
また、音声信号処理部１０３は、第１マイク１５が受信する第１音声信号と第２マイク１９が受信する第２音声信号と第３マイク２０が受信する第３音声信号に基づいて、音声信号の発信源であるユーザの口の位置と頭部の位置とを推定する。
【００７８】
具体的には、音声信号処理部１０３は、例えば、第１音声信号、第２音声信号、第３音声信号のそれぞれのレベルあるいはそれぞれのレベルの差に基づいて、音声信号の発信源までの距離を算出することによって、ユーザの口の位置と、頭部の位置とを推定する。言い換えれば、音声信号処理部１０３は、携帯無線装置の一般的な使用形態と、口の位置とから、頭部の位置を推定する。
【００７９】
音声信号処理部１０３は、推定した結果、つまり、推定した頭部の位置を示す信号を制御部１０４へ出力する。
【００８０】
制御部１０４は、音声信号処理部１０３から信号を受け取る。制御部１０４は、推定した頭部の位置を示す信号に基づいて、アンテナ切替部１０５によるアンテナの切替を制御する。
【００８１】
具体的には、制御部１０４は、推定した頭部の位置が第１アンテナに近いと判定する場合、アンテナ切替部１０５が第１アンテナ１１をアンテナ終端１０６に接続させ、第２アンテナ１２を無線部１０７に接続させるように、アンテナ切替部１０５を制御する。
【００８２】
また、制御部１０４は、推定した頭部の位置が第１アンテナから遠いと判定する場合、アンテナ切替部１０５が第２アンテナ１２をアンテナ終端１０６に接続させ、第１アンテナ１１を無線部１０７に接続させるように、アンテナ切替部１０５を制御する。
【００８３】
ここで、アンテナ切替部１０５によるアンテナの切替について図９を用いて説明する。図９は、本発明の実施の形態３における携帯無線装置の使用形態を比較する図である。携帯無線装置は腕時計型の携帯無線装置であるため、腕（または手首）等に装着されている。携帯無線装置とユーザの頭部の位置関係は、主に、図９Ａおよび図９Ｂに示す位置関係に分類される。
【００８４】
図９Ａの場合、例えば、非通話時、または、待ち受け時などの状態であり、ユーザは、携帯無線装置に頭部を接近させていない。このとき、図９Ａに示すように、アンテナ切替部１０５は、第２アンテナ１２をアンテナ終端１０６に接続させ、第１アンテナ１１を無線部１０７に接続させている。
【００８５】
例えば図９Ａの状態で、ユーザが第１マイク１５に頭部を近づけて音声を発すると、無線部１０７に接続されている第１アンテナ１１に頭部が接近することになり、頭部近接影響によりアンテナ特性が劣化してしまう。
【００８６】
そこで、携帯無線装置は、第１マイク１５が受け取る第１音声信号、第２マイク１９が受け取る第２音声信号、および、第３マイク２０が受け取る第３音声信号に基づいて、図９Ａに示す状態から図９Ｂに示す状態へアンテナの切替を行う。
【００８７】
具体的には、音声通話時などでユーザは、携帯無線装置に頭部を接近させて音声を第１マイク１５に向かって発する。このとき、第１マイク１５、第２マイク１９、および、第３マイク２０は、それぞれ、ユーザが発する音声信号を第１音声信号、第２音声信号、および、第３音声信号として受け取り、音声信号処理部１０３へ出力する。
【００８８】
音声信号処理部１０３は、第１マイク１５が受信する第１音声信号と第２マイク１９が受信する第２音声信号と第３マイク２０が受信する第３音声信号に基づいて、音声信号の発信源であるユーザの口の位置、つまり、頭部の位置を推定する。
【００８９】
音声信号処理部１０３は、推定した結果、つまり、推定した頭部の位置を示す信号を制御部１０４へ出力する。
【００９０】
具体的には、制御部１０４は、推定した頭部の位置が第１アンテナに近いと判定する場合、アンテナ切替部１０５が第１アンテナ１１をアンテナ終端１０６に接続させ、第２アンテナ１２を無線部１０７に接続させるように、アンテナ切替部１０５を制御する。
【００９１】
図９Ｂは、アンテナ切替部１０５による切替の後を示す図である。図９Ｂの場合、例えば、通話時などの状態であり、ユーザは、携帯無線装置の本体１０に頭部を接近させている。このとき、図９Ｂに示すように、アンテナ切替部１０５は、第１アンテナ１１をアンテナ終端１０６に接続させ、第２アンテナ１２を無線部１０７に接続させている。
【００９２】
以上のように、本実施の形態３では、第１マイク１５が受信する第１音声信号と第２マイク１９が受信する第２音声信号と第３マイク２０が受信する第３音声信号に基づいて、音声信号の発信源であるユーザの口の位置、つまり、頭部の位置を推定し、その推定した頭部に位置に応じてアンテナの切替を行う。これにより、ユーザの頭部の位置を推定することができ、頭部近接影響によるアンテナ特性の劣化を防ぎ、常に特性のよい側のアンテナに切替えることができる。
【００９３】
図１０は、本発明の各実施の形態における腕時計型の携帯無線装置の使用例を示す図である。図１０に示すように、腕時計型の携帯無線装置は、ユーザの手首に装着される。そして、携帯無線装置のマイク１５は、ユーザの方向へ向いている。第１アンテナ１１は、マイク１５に近接した位置に設けられる。第２アンテナ１２は、マイク１５から離れた位置に設けられる。
【００９４】
図１０に示す使用例によれば、マイク１５が受信する音声信号のレベルに基づいて、アマイク１５に近接した位置に設けられる第１アンテナ１１とマイク１５から離れた位置に設けられる第２アンテナ１２の切替を行い、頭部近接影響によるアンテナ特性の劣化を防ぎ、常に特性のよい側のアンテナに切替えることができる。
【００９５】
なお、本発明の各実施の形態は、腕時計型に限定されず、様々なウェアラブル形態の携帯無線装置への適用が可能である。具体的に、図１０に示す腕時計型の携帯無線装置とは異なる使用例について図１１を用いて説明する。
【００９６】
図１１は、本発明の各実施の形態における携帯無線装置の別の使用例を示す図である。図１１に示す携帯無線装置は、ユーザが首にかけて使用するペンダント形状の携帯無線装置である。
【００９７】
図１１に示すように、ユーザが携帯無線装置を手にとって使用する際に、マイク１５は、ユーザの方向へ向いている。第１アンテナ１１は、マイク１５に近接した位置に設けられる。第２アンテナ１２は、ユーザが首にかけている首かけ部に設けられる。より具体的には、第２アンテナ１２は、首かけ部のうち、ユーザの首元の背面側に設けられるのが好ましい。
【００９８】
図１１に示す使用例によれば、マイク１５が受信する音声信号のレベルに基づいて、マイク１５に近接した位置に設けられる第１アンテナ１１と首かけ部のユーザの首元背面側に設けられる第２アンテナ１２の切替を行い、頭部近接影響によるアンテナ特性の劣化を防ぎ、常に特性のよい側のアンテナに切替えることができる。
【産業上の利用可能性】
【００９９】
本発明にかかる携帯無線装置は、腕時計型のようなウェアラブル形態の携帯無線装置に好適である。
【符号の説明】
【０１００】
１０  本体
１１  第１アンテナ
１２  第２アンテナ
１３  第１同軸ケーブル
１４  第２同軸ケーブル
１５  第１マイク
１６  スピーカ
１７  ベルト部
１８  バックル
１９  第２マイク
２０  第３マイク
１０１  表示部
１０２  入力部
１０３  音声信号処理部
１０４  制御部
１０５  アンテナ切替部
１０６  アンテナ終端
１０７  無線部
【図１】
0006554647.tif 000002
【図２】
0006554647.tif 000003
【図３】
0006554647.tif 000004
【図４】
0006554647.tif 000005
【図５】
0006554647.tif 000006
【図６】
0006554647.tif 000007
【図７】
0006554647.tif 000008
【図８】
0006554647.tif 000009
【図９】
0006554647.tif 000010
【図１０】
0006554647.tif 000011
【図１１】
0006554647.tif 000012